(57)【要約】【課題】水平に固定した状態でスクリーンを下方に引き下げて使用する引下型と、鉛直に固定した状態でスクリーンを水平方向に引いて使用する横引型とを適宜選択して使用することができることにより、凹曲している黒板等にも問題なく使用することができ、又、使用の環境や目的に合わせてスクリーン面の位置や大きさを調整することができるマグネットスクリーン装置を提供する点にある。【解決手段】正面側にスクリーン面２ａを有するとともに、裏面側に磁力を有するスクリーンシート２と、スクリーンシート２の巻取り及び繰出しを行なう巻取手段と、スクリーンシート２を収納するための、裏面側に磁力を有する筺体３と、筺体３の一端側に、回転機構５を介して回転可能に設けられた取付具４とを備え、取付具４を所定位置に取り付けた後、筐体３を水平又は鉛直の何れかの状態で固定して使用するものとした。【選択図】図１
2014030970.tif 000002
【特許請求の範囲】
【請求項１】
正面側にスクリーン面を有するとともに、裏面側に磁力を有するスクリーンシートと、
該スクリーンシートの巻取り及び繰出しを行なう巻取手段と、
前記スクリーンシートを収納するための、裏面側に磁力を有する筺体と、
該筺体の一端側に、回転機構を介して回転可能に設けられた取付具とを備え、
該取付具を所定位置に取り付けた後、前記筐体を水平又は鉛直の何れかの状態で固定して使用することを特徴とするマグネットスクリーン装置。
【請求項２】
前記取付具の前記筺体に対する回転が９０度で規制されてなる請求項１記載のマグネットスクリーン。
【請求項３】
前記取付具又は前記筺体の何れか一方に円弧状スリットを設けると共に、他方に該円弧状スリット内を摺動する小突起を設けてなる請求項１又は２記載のマグネットスクリーン装置。
【請求項４】
前記取付具を黒板の上桟枠に掛止可能な幅広の釣金形状としてなる請求項１〜３のいずれか１項記載のマグネットスクリーン装置。
【発明の詳細な説明】
【技術分野】
【０００１】
本発明は、黒板等に用いるマグネットスクリーン装置に関わり、更に詳しくは、使用環境や目的に合わせて、水平に固定した状態でスクリーンを下方に引き下げて使用する引下型と、鉛直に固定した状態でスクリーンを水平方向に引いて使用する横引型とを適宜選択して使用することができるマグネットスクリーン装置に関するものである。
【背景技術】
【０００２】
従来、黒板に用いるスクリーンとして、投映面を有する投映部材と、指示部材によって指示された位置を検出する検出手段と、位置情報をパーソナルコンピュータに供給する供給手段とを有する位置情報検出供給部を備えたインタラクティブスクリーンであって、前記投映部材を、磁性を帯び、かつ、巻き取り及び引き延ばしが可能な素材で構成するとともに、該投映部材を巻き取り可能な巻き取り手段と、巻き取られた投映部材を収納する収納部を備えたものがある（例えば、特許文献１。）。
【０００３】
このインタラクティブスクリーンは、投映部材の先端部を手でつかんで収納部から引き出し、教室に備えられている黒板に投映部材の投映面の裏面を合わせると磁力により黒板に固定され、手を離してもその固定状態が保持されるものであり、これにより、黒板が指示部材による指示部の押圧を受け止めて、通常のインタラクティブボードと同様に機能させることが可能となるものである。
【先行技術文献】
【特許文献】
【０００４】
【特許文献１】実用新案登録第３０９３２８７号公報
【発明の概要】
【発明が解決しようとする課題】
【０００５】
しかし、黒板の正面は平面視において前方に向かって凹曲しているものもあり、このような黒板にスクリーンを水平に設置しようとすると、凹曲面に対して長方体状のスクリーン本体を設けることとなるため、これらの間のギャップが原因で投映面に皺や弛みが発生し、スクリーン面の平面性を保つことが困難であった。
また、このインタラクティブスクリーンは黒板に移動不能に固定されるものであり、使用の環境や目的に合わせてスクリーン面の位置や大きさを調整することはできず、スペースに制限のある場合に十分に対応することができないものであった。
【０００６】
本発明が前述の状況に鑑み解決しようとするところは、水平に固定した状態でスクリーンを下方に引き下げて使用する引下型と、鉛直に固定した状態でスクリーンを水平方向に引いて使用する横引型とを適宜選択して使用することができることにより、凹曲している黒板等にも問題なく使用することができ、又、使用の環境や目的に合わせてスクリーン面の位置や大きさを調整することができるマグネットスクリーン装置を提供する点にある。
【課題を解決するための手段】
【０００７】
本発明に係るマグネットスクリーン装置は、前記課題解決のために、正面側にスクリーン面を有するとともに、裏面側に磁力を有するスクリーンシートと、該スクリーンシートの巻取り及び繰出しを行なう巻取手段と、前記スクリーンシートを収納するための、裏面側に磁力を有する筺体と、該筺体の一端側に、回転機構を介して回転可能に設けられた取付具とを備え、該取付具を所定位置に取り付けた後、前記筐体を水平又は鉛直の何れかの状態で固定して使用することを特徴とするものである。
【０００８】
ここで、前記取付具の前記筺体に対する回転が９０度で規制されてなると好ましい。
【０００９】
また、前記取付具又は前記筺体の何れか一方に円弧状スリットを設けると共に、他方に該円弧状スリット内を摺動する小突起を設けてなるとより好ましい。
【００１０】
さらに、前記取付具を黒板の上桟枠に掛止可能な幅広の釣金形状としてなるものであってもよい。
【発明の効果】
【００１１】
本発明に係るマグネットスクリーン装置によれば、使用環境や目的に合わせて引下型と横引型とを適宜選択して使用することができ、凹曲した黒板等にも横引型として用いることで、皺や弛みが生じない状態で問題なく使用することができる。また、引下型としてスクリーンシートの繰出量を変更すると上下方向のスクリーン寸法を調整することができ、横引型としてスクリーンシートの繰出量を変更すると左右方向のスクリーン寸法を調整することができる。このため、スクリーンの上下又は左右方向の寸法に制限がある場合の使用も可能となり、また、縦横寸法のバランスも自在に設定することができる。
【００１２】
ここで、前記取付具の前記筺体に対する回転が９０度で規制されてなるものによれば、回転が９０度で規制されているため、取付具を取り付けた後に筐体を回転可能範囲内で最大限に回転させることで、引下型位置から横引型位置へと確実に変更させることができる。
【００１３】
また、前記取付具又は前記筺体の何れか一方に円弧状スリットを設けると共に、他方に該円弧状スリット内を摺動する小突起を設けてなるものによれば、簡易な構造で回転可能範囲を設定することができる。
【００１４】
さらに、前記取付具を黒板の上桟枠に掛止可能な幅広の釣金形状としてなることで、取付具を黒板の上桟枠に引っ掛けて、筺体の角度を微調整したうえで筐体を黒板に固定させることができるため、マグネットスクリーン装置の重さに関係なく筐体の固定角度の正しい設定が可能となる。また、取付具を黒板に引っ掛けた状態で筺体を黒板から引き離して、取付具を左右にスライドさせることで水平方向の固定位置を簡易に調整することもできる。
【図面の簡単な説明】
【００１５】
【図１】本発明の実施形態に係るマグネットスクリーン装置を横引型として黒板に設置した状態を示す斜視図である。
【図２】同じくマグネットスクリーン装置の構成を示す斜視図である。
【図３】同じくマグネットスクリーン装置の上部の構成の説明図であり、（ａ）は拡大正面図、（ｂ）は縦断面を示す拡大側面図である。
【図４】同じくマグネットスクリーン装置を下引型から横引型へと状態変更させる方法を示す正面図である。
【発明を実施するための形態】
【００１６】
次に、本発明の実施の形態を添付図面に基づき詳細に説明するが、本発明は、添付図面に示された形態に限定されず特許請求の範囲に記載の要件を満たす実施形態の全てを含むものである。
【００１７】
本明細書において、スクリーン面側をマグネットスクリーン装置の正面とし、これの反対面である貼着面側を裏面とする。
【００１８】
本実施形態に係るマグネットスクリーン装置１は、図１及び図２に示すように、黒板Ｂに取り付けることで黒板Ｂの一部を映写用のスクリーンとして使用することができるものであって、正面側にスクリーン面２ａを有するとともに裏面側に磁力を有するスクリーンシート２と、スクリーンシート２の巻取り及び繰出しを行なう巻取手段３ａと、スクリーンシート２を収納するための、裏面側に磁力を有する筺体３と、筺体３の一端側に、回転機構５を介して回転可能に設けられた取付具４とを備えたものである。
ここで、マグネットスクリーン装置１は、映写用のスクリーンとして使用するものであるが、これに限定されず、例えば電子黒板やホワイトボードとしても使用することができる。
【００１９】
スクリーンシート２は、正面側の全面がスクリーン面として、又、裏面側はスクリーンシート２が黒板Ｂ等に貼着可能な磁力を有するものとして構成されている。
また、スクリーンシート２の先端側には、スクリーンシート２の繰出し及び巻取りをスムーズに行なうための細長いバー６が設けられている。このバー６には、裏面側に貼着可能な複数の磁石６ａ、６ａ、６ａが設けられ、展張時には、この磁石６ａ、６ａ、６ａの磁力によって黒板Ｂ等に張り付いた状態で保持される。
このスクリーンシート２は、巻取手段３ａによって筺体３内に巻き取られることで収納される。
【００２０】
巻取手段３ａは、巻取ロールとこれにスクリーンシート２を巻き取る方向に回転付勢するバネ部材とよりなり、バネ部材の付勢力はスクリーンシート２を操作することで解除可能となっている、一般的なものとして構成しているが、これに限らず、例えば電動式として構成されたものであってもよい。
【００２１】
筺体３は細長い長方体形状であって、スクリーンシート２を繰り出す側の面には、スクリーンシート２よりも大きい寸法の幅と厚みを有するスリットが設けられており、このスリットからスクリーンシート２が繰り出される。また、このスリットは、スクリーンシート２の先端側に設けられたバー６よりも小さい寸法の幅と厚みで形成されている。このため、スクリーンシート２の巻取時に、スクリーンシート２を全て巻き取ると、このバー６がスリットを通過できず筺体３に当接することで巻取りが完了する。
筺体３の裏面側の下端部には磁石３ｂが設けられている。この磁石３ｂは、筺体３を黒板Ｂ等に固定する際に使用し、この磁石３ｂによる固定によって筺体３は回転不能となり、スクリーンシート２の繰出又は巻取可能な状態となる。
筺体３の上端部には、取付具４が筺体３に対して回転可能に設けられている。このため、取付具４を黒板Ｂの上桟枠に引っ掛けた状態で、筺体３を取付具４に対して自由に回転させることができ、筺体３の固定角度を簡易に調整することができる。
【００２２】
図３に示すように、取付具４は、黒板Ｂの上桟枠に吊り下げることができる幅広の釣金形状に形成されたものであって、帯状の板材を折り曲げることで形成したものであるが、その先端側には黒板Ｂの上桟枠の裏側に引っ掛けるための係止片４ａが形成され、これと上面及び前面が形成されている。また、前面には黒板Ｂの上桟枠を回避するために前方に突出する上部と上部より黒板Ｂ側に位置する下部とが段部４ｂを介して設けられている。
また、取付具４は、マグネットスクリーン装置１の一方の端部に設けられているため、筺体３に対して取付具４を真っ直ぐ位置させることで、マグネットスクリーン装置１を簡易に黒板Ｂに引っ掛けることができる。さらに、マグネットスクリーン装置１を黒板Ｂに引っ掛けた後には、黒板Ｂに対する水平方向の位置を調整するために、取付具４をスライドさせることで、位置調整を行なうことができる。
なお、取付具４の裏面に、黒板Ｂに固定するための磁石を設けてもよく、このようにすると、筺体３を回転する際に取付具４のがたつきを防止することができるため、より操作性の良いものとすることができる。
この取付具４は、回転機構５を介して筺体３に取付けられている。
【００２３】
回転機構５は、筺体３を取付具４に対して回転可能とするものであり、これによって筺体３の固定角度を水平又は鉛直とすることで、マグネットスクリーン装置１を下引型又は横引型として使用することができるものである。
ここで、この回転機構５は、筺体３の回転軸５ｃを中心とする回転を略９０度の範囲で規制するものである。これによって、筺体３を規制範囲内で最大限回転させれば、鉛直状態から水平状態に変更することができ、角度を計測する等の手間を省いて簡易且つ迅速に状態変更を可能とする。
なお、回転機構５は、取付具４に対して筺体３を引下型又は横引型の位置とする固定角度で解除可能にロックされるものとしてもよい。
略９０度の範囲で回転を規制するための回転機構５の構成として、取付具４に円弧状スリット５ａが設けられ、筺体３側の取付部材に円弧状スリット５ａに係合する小突起５ｂが設けられている。これらが摺動可能に係合していることで、スリットの範囲内で筺体３の回転が規制されて、略９０度の範囲における回転を可能としている。
【００２４】
次に、図４に示すように、本実施の形態におけるマグネットスクリーン装置１の黒板Ｂへの設置方法について説明する。
【００２５】
まず、マグネットスクリーン装置１の取付具４を、マグネットスクリーン装置１の長手方向に伸ばした状態で、取付具４を上側に位置させて設置する黒板Ｂの上桟枠に係合させることで、マグネットスクリーン装置１を黒板Ｂに吊り下げる。
このとき、黒板Ｂに対しては取付具４の引っ掛かりのみで吊り下がっているため、左右方向へは何ら規制されておらず、自在に位置変更が可能であるため、この状態で左右位置を調整して決定する。
左右位置が定まれば、次にマグネットスクリーン装置１の筺体３を黒板Ｂに押し当てて、磁石３ｂ、３ｂ、３ｂでマグネットスクリーン装置１を黒板Ｂに固定する。これにより、筺体３は黒板Ｂに対して回転不能に固定される。
最後に、筺体３からスクリーンシート２を引き出して黒板Ｂに磁石で貼り付けることで、設置が完了する。
ここで、マグネットスクリーン装置１を引下型として使用する場合には、取付具４を黒板Ｂに引っ掛けた状態で、筺体３を取付具４に対して直角に回転させて黒板Ｂの上端部近傍で水平に黒板Ｂに固定した後、スクリーンシート２を下方に引き下げて使用することができる。
また、横引型として使用する場合には、取付具４を黒板Ｂに引っ掛けた状態で、筺体３を取付具４に対して回転させず鉛直に黒板Ｂに固定した後、スクリーンシート２を水平方向に引いて使用することができる。
横引型の展張方法としては、取付具４を黒板Ｂに引っ掛けた後、筺体３よりも先にバー６を黒板Ｂに固定し、筺体３をバー６から引き離す方向にスライドさせることでスクリーンシート２を展張してもよい。この方法によれば、筺体３が取付具４によって上下方向移動不能に吊り下げられているため、スクリーンシート２を正確に水平に引くことができ、容易に平面性を確保することが可能となる。
【００２６】
凹曲する黒板Ｂに設置する場合には、横引型としてマグネットスクリーン装置１を黒板Ｂに鉛直に固定すると、スクリーンシート２が黒板Ｂの曲面に沿って黒板Ｂに貼着することで、皺も弛みも生じずスクリーンとして使用することができる。
【００２７】
以上の説明においては、スクリーンシートはシート全体に磁力を有するものである場合を示したが、スクリーンシートはこのようなものに限定されるものではなく、部分的に磁力を有するものとすることで、取り外し易いものとして構成してもよい。
また、取付部は少なくとも一端側に設けたものであればよく、両端側に取付部を設けてもよく、このように構成すると、引下型として黒板の上部に水平に固定する場合に、左右両端を取付部で吊り下げることで、より安定した取付けが可能とする。
取付部については、黒板等の既設の設備に引っ掛けるものでなくてもよく、例えば、取付対象となる壁に左右方向にのびるレール部材を固定し、このレールにスライド可能に取付具を係合させてなるものとすると、マグネットスクリーン装置をレール部材の範囲内で移動させることができ、設置場所をより自由に設定することができる。
さらに、筺体や取付部の黒板側にローラや緩衝材を設けることで、マグネットスクリーン装置を左右方向にスライドさせるとき、又は、筺体を回転させるときの作業をスムーズにし、且つ、黒板の傷を防止するものとしてもよい。
また、スクリーンシートを引き出すための筺体のスリットは、左右の何れか一方又は両方に設けられたものであってもよく、この位置によってスクリーンシートの引き出す方向が決定される。
【符号の説明】
【００２８】
１     マグネットスクリーン装置
２     スクリーンシート
２ａ   スクリーン面
３     筺体
３ａ   巻取手段
３ｂ   磁石
４     取付具
４ａ   係止片
４ｂ   段部
５     回転機構
５ａ   円弧状スリット
５ｂ   小突起
５ｃ   回転軸
６     バー
６ａ   磁石
Ｂ     黒板
【図１】
2014030970.tif 000003
【図２】
2014030970.tif 000004
【図３】
2014030970.tif 000005
【図４】
2014030970.tif 000006